(57)【要約】【課題】取り付け作業性のよいカーテン用房掛けのベースとフックとの組み付け構造を提供する。【解決手段】  フック３の突起３１にネジ穴３５を形成するとともに、突起３１のネジ穴３５にナベネジを螺合した状態で、突起３１が挿入孔１４に貫挿されるとき、ナベネジが突起３１とともに案内されるように、ベース２の掛止部１１に切り欠き部１８を形成する。突起３１が挿入孔１４に貫挿された状態で、ネジ穴３５に螺合したナベネジを螺合させて、ナベネジの先端をネジ穴３５のネジ突出口から突出させて前記挿入孔の係合凹部１５の係合面に当接させ、さらに突起３１を支持面１６に圧接させるようにしてベース２とフック３とを連結固定する。【選択図】図４
0003168543.tif 000002
【実用新案登録請求の範囲】
【請求項１】
挿入孔を形成した掛止部を有したベースと、裏面に形成された突起が前記挿入孔に貫挿されるフックとからなるカーテン用房掛けのベースとフックとの組み付け構造であって、
前記突起にネジ穴を形成するとともに、前記突起のネジ穴にネジを螺合した状態で、前記突起が挿入孔に貫挿されるとき、前記ネジが前記突起とともに案内されるように、前記掛止部に切り欠き部を形成し、
前記突起が前記挿入孔に貫挿された状態で、前記ネジ穴に螺合した前記ネジをさらに螺合させて、前記ベースと前記フックとを連結固定したことを特徴とするカーテン用房掛けのベースとフックとの組み付け構造。
【請求項２】
請求項１に記載のカーテン用房掛けのベースとフックとの組み付け構造において、
前記ネジ穴に螺合した前記ネジは、さらに螺合させて、前記ネジの先端を前記ネジ穴のネジ挿入口と反対側のネジ突出口から突出させて前記挿入孔の内側面に当接させ、さらに前記突起の前記ネジ挿入口側外側面を前記挿入孔の前記ネジ挿入口側内側面と圧接させるようにして前記ベースと前記フックとを連結固定したことを特徴とするカーテン用房掛けのベースとフックとの組み付け構造。
【請求項３】
請求項１又は２に記載のカーテン用房掛けのベースとフックとの組み付け構造において、
前記切り欠き部は、その幅を前記ネジの頭部が案内可能な幅から前記ネジのネジ部が案内可能な幅も範囲に形成されていることを特徴とするカーテン用房掛けのベースとフックとの組み付け構造。
【請求項４】
請求項１〜３のいずれか１に記載のカーテン用房掛けのベースとフックとの組み付け構造において、
前記挿入孔は、前記ネジ穴のネジ突出口から突出した前記ネジと当接する側の内側面に、前記ネジの先端部が当接する係合面を有した断面矩形状の係合凹部を軸線方向に沿って凹設したことを特徴とするカーテン用房掛けのベースとフックとの組み付け構造。
【請求項５】
請求項１〜４のいずれか１に記載のカーテン用房掛けのベースとフックとの組み付け構造において、
前記ベースの掛止部は、円錐台形の形状であることを特徴とするカーテン用房掛けのベースとフックとの組み付け構造。
【請求項６】
請求項１〜５のいずれか１に記載のカーテン用房掛けのベースとフックとの組み付け構造において、
前記ベースの掛止部であって前記切り欠き部を形成した位置には、透孔が貫通形成されていることを特徴とするカーテン用房掛けのベースとフックとの組み付け構造。
【考案の詳細な説明】
【技術分野】
【０００１】
本考案は、カーテン用房掛けのベースとフックとの組み付け構造に関するものである。
【背景技術】
【０００２】
従来、閉じたカーテンを束ねる紐（タッセル）を引っ掛けるためのカーテン用房掛けは、室内の調和を図るためにデザイン性が求められているとともに、室内の壁等に設けられることからその取り付け作業の容易性が求められている。
【０００３】
例えば、特許文献１のカーテン用房掛けは、壁面に掛止部の基端部に形成した取り付け部を固定する。続いて、掛止部に形成された通穴に対して、トップ部の裏面に設けた突起を挿入する。この状態で、掛止部の外側下方から突起に形成したネジ穴にネジを螺合して、同突起を掛止部にネジ止めするようにしていた。
【先行技術文献】
【特許文献】
【０００４】
【特許文献１】実用新案登録第３１４３９２４号公報
【考案の概要】
【考案が解決しようとする課題】
【０００５】
ところで、上記房掛けの掛止部とトップ部の連結構造は、トップ部の突起のネジ穴に、掛止部の外側からのネジで螺合して、突起とネジの頭部とで掛止部を挟持することによって連結固定するものであった。このとき、突起のネジ穴にネジを螺合する際、ネジをネジ穴に挿通するための掛止部に形成した透孔が掛止部の下側に形成されているため、いちいち透孔の位置を探った後、ネジを挿通しなければならず非常に作業性が悪かった。
【０００６】
本考案は、上記問題点を解消するためになされたものであって、その目的は、取り付け作業性のよいカーテン用房掛けのベースとフックとの組み付け構造を提供することにある。
【課題を解決するための手段】
【０００７】
請求項１では、挿入孔を形成した掛止部を有したベースと、裏面に形成された突起が前記挿入孔に貫挿されるフックとからなるカーテン用房掛けのベースとフックとの組み付け構造であって、前記突起にネジ穴を形成するとともに、前記突起のネジ穴にネジを螺合した状態で、前記突起が挿入孔に貫挿されるとき、前記ネジが前記突起とともに案内されるように、前記掛止部に切り欠き部を形成し、前記突起が前記挿入孔に貫挿された状態で、前記ネジ穴に螺合した前記ネジをさらに螺合させて、前記ベースと前記フックとを連結固定した。
【０００８】
請求項２では、前記ネジ穴に螺合した前記ネジは、さらに螺合させて、前記ネジの先端を前記ネジ穴のネジ挿入口と反対側のネジ突出口から突出させて前記挿入孔の内側面に当接させ、さらに前記突起の前記ネジ挿入口側外側面を前記挿入孔の前記ネジ挿入口側内側面と圧接させるようにして前記ベースと前記フックとを連結固定した。
【０００９】
請求項３では、前記切り欠き部は、その幅を前記ネジの頭部が案内可能な幅から前記ネジのネジ部が案内可能な幅も範囲に形成されている。
請求項４では、前記挿入孔は、前記ネジ穴のネジ突出口から突出した前記ネジと当接する側の内側面に、前記ネジの先端部が当接する係合面を有した断面矩形状の係合凹部を軸線方向に沿って凹設した。
【００１０】
請求項５では、前記ベースの掛止部は、円錐台形の形状である。
請求項６では、前記ベースの掛止部であって前記切り欠き部を形成した位置には、透孔が貫通形成されている。
【考案の効果】
【００１１】
本考案によれば、取り付け作業性を向上させることができる。
【図面の簡単な説明】
【００１２】
【図１】本実施形態のカーテン用房掛けの全体斜視図。
【図２】本実施形態のカーテン用房掛けの側面図。
【図３】本実施形態のカーテン用房掛けの側断面図。
【図４】本実施形態のカーテン用房掛けの分解斜視図。
【図５】本実施形態のカーテン用房掛けのベースの側面図。
【図６】本実施形態のカーテン用房掛けのベースの正面図。
【図７】本実施形態のカーテン用房掛けのベースの下面図。
【図８】本実施形態のカーテン用房掛けのベースの側断面図。
【図９】本実施形態のカーテン用房掛けのフックの側面図。
【図１０】本実施形態のカーテン用房掛けのフックの裏面図。
【図１１】本実施形態のカーテン用房掛けのフックの下面図。
【図１２】本実施形態のカーテン用房掛けのフックの側断面図。
【考案を実施するための形態】
【００１３】
以下、本考案を具体化した一実施形態を図１〜図１２に従って説明する。
図１、図２に示すように、カーテン用房掛け（以下、単に房掛けという）１は、ベース２と、フック３を有し、ベース２が図３に示すようにタッピングネジ４にて壁面Ｗに固定され、ベース２とフック３とがナベネジ５にて連結固定されるようになっている。
【００１４】
（ベース２）
ベース２は、本実施形態では亜鉛ダイカストで成形されている。ベース２は、図４、図５に示すように、円錐台形状の掛止部１１を有し、その外径が先端側に行くほど縮径するように形成されている。掛止部１１の先端部外周にはフランジ１２が径方向外側に延出形成され、そのフランジ１２の先端はＬ字状に屈曲形成されて、環状の嵌合部１３が形成されている。従って、環状の嵌合部１３によって、円錐台形の掛止部１１の先端面１１ａは内包されるようになっている。
【００１５】
掛止部１１の先端面１１ａの中心位置には、図６、図８に示すように、挿入孔１４が凹設されている。挿入孔１４は、その断面形状が半小判形、すなわち、上側部分が円形で、下側部分が四角形となる用に形成されている。又、挿通孔１４は、上側部分の半円形に形成された中心位置が掛止部１１の中心軸線Ｌ１と一致するように形成されている。
【００１６】
断面半小判形に形成された挿入孔１４の内周面であって、その上側部円弧面には、断面矩形状の係合凹部１５が先端面１１ａから挿入孔１４の内底面１４ａまで凹設されている。係合凹部１５はその溝面が水平なるように形成されるとともに、その深さが挿入孔１４に内径に接する位置より少し深い位置まで形成されている。
【００１７】
なお、このように形成された係合凹部１５の左右水平方向の面を係合面１５ａという。そして、係合面１５ａの幅であって、中心軸線Ｌ１に対して水平方向に直交する幅（左右水平方向の幅）は、ベース２とフック３とを連結するナベネジ５の頭部５ａの直径より大きく形成されている。
【００１８】
また、断面半小判形の挿入孔１４の内周面であって、係合凹部１５と対向する四角形状に形成された水平の内側面を支持面１６という。
図７、図８に示すよう、円錐台形状の掛止部１１の下側外側面には、挿入孔１４の支持面１６を貫通する透孔１７が形成されている。透孔１７は、その内径が係合面１５ａの幅よりも大きい円形の貫通孔である。また、透孔１７は、その中心軸線Ｌ２が係合凹部１５の係合面１５ａの幅方向の中心位置を直交するように形成されている。
【００１９】
掛止部１１は、その透孔１７から掛止部１１の先端面１１ａに向かって、切り欠き部１８が形成されている。切り欠き部１８は、切り幅が係合凹部１５の係合面１５ａの幅と同じであって、係合凹部１５と相対向するように切り欠かれている。従って、断面半小判型の挿入孔１４の支持面１６は、透孔１７と先端面１１ａの間においてはこの切り欠き部１８により左右水平方向に分割される。
【００２０】
また、ベース２のフランジ１２及び環状部１３の下側位置には、嵌合凹部１９が形成されている。嵌合凹部１９は、四角形状であって、前記切り欠き部１８から左右水平方向に拡開形成された後に、下方に切り欠き形成されている。
【００２１】
挿入孔１４の内底面１４ａの中心位置には、掛止部１１の底面１１ｂまで貫通する貫通孔２０が形成されている。貫通孔２０は、ベース２を壁面Ｗに固定する際に、タッピングネジ４が挿入孔１４側から貫挿される。
【００２２】
そして、タッピングネジ４にて壁面Ｗに固定されたベース２は、その挿入孔１４にフック３が装着される。
（フック３）
フック３は、本実施形態では亜鉛ダイカストで成形されている。フック３は、図９、図１２に示すように、円板状の意匠用の化粧板３０を有し、その裏面中央位置には突起３１が突出形成されているとともに、裏面最外周には環状の意匠用環体３２が延出形成されている。突起３１は、図１０に示すように、その断面形状が半小判形であって前記挿入孔１４の断面形状と同じなるように形成されている。従って、突起３１は、掛止部１１の挿入孔１４に貫挿可能となるとともに、挿入孔１４内において中心軸線Ｌ１を回転中心とする回転が不能となる。
【００２３】
突起３１の基端部下面には、第１位置決め片３３が延出形成されている。第１位置決め片３３は、突起３１が挿入孔１４に貫挿されたとき、前記切り欠き部１８に嵌合されるようになっている。又、第１位置決め片３３の基端部下側には、図１０、図１２に示すように、第２位置決め片３４が延出形成されている。第２位置決め片３４は、第１位置決め片３３が切り欠き部１８に嵌合されたとき、前記嵌合凹部１９に嵌合されるようになっている。
【００２４】
また、図１１に示すように、突起３１の下面３１ａであってその幅方向の中心位置には、同突起３１を上方（突起３１の中心軸線Ｌ３を通って上下方向）に貫通したネジ穴３５が形成されている。ネジ穴３５は、ナベネジ５が螺合するネジ穴である。従って、突起３１がナベネジ５を螺合した状態で挿通孔１４に挿入されるとき、ナベネジ５は切り欠き部１８を通って掛止部１１に形成した透孔１７まで案内される。
【００２５】
そして、ネジ穴３５に螺合したナベネジ５が透孔１７まで案内されて、その位置でナベネジ５をドライバでさらに螺合すると、ナベネジ５のネジ部５ｂの先端部は係合面１５ａに当接する。そして、当接した状態でさらにドライバを回すと、突起３１が下方に移動し、挿入孔１４の支持面１６を押圧し、突起３１（フック３）と掛止部１１（ベース２）とを連結する。
【００２６】
化粧板３０の裏面であって、図１０に示すように、突起３１を囲むように環状の位置決め環状体３６が延出形成されている。位置決め環状体３６は、図３に示すように、突起３１が挿入孔１４に挿入されネジ穴３５に螺合したナベネジ５が透孔１７まで案内されたとき（透孔１７の中心軸線Ｌ２とネジ穴３５の中心軸線Ｌ４とが一致したとき）、前記ベース２の環状部１３に内嵌される。そして、環状部１３の先端部は、化粧板３０の裏面と当接した状態となる。
【００２７】
次に、上記のように構成した房かけ１の作用を房かけ１の取付けに従って説明する。
まず、壁面Ｗに掛止部１１の底面１１ｂを当てた後、タッピングネジ４を貫通孔２０に貫挿し同掛止部１１（ベース２）を壁面Ｗに固定する。続いて、フック３の突起３１のネジ穴３５のネジ挿入口からナベネジ５を挿入し、同ナベネジ５をネジ穴３５と螺合させる。この時、ナベネジ５の先端部がネジ穴３５のネジ突出口から突出しない程度に螺合する。
【００２８】
次に、ナベネジ５を螺合した突起３１を、壁面Ｗに固定された掛止部１１（ベース２）の挿入孔１４に挿入する。このとき、突起３１の断面形状が、挿入孔１４の断面形状と同じなので、突起３１を挿入孔１４に対して、スムーズに挿入できる。しかも、突起３１に螺合したナベネジ５の頭部５ａは、切り欠き部１８を通って透孔１７まで引っ掛かることなく案内される。そして、挿入孔１４の開口部がフック３の化粧板３０にて閉塞される。
【００２９】
突起３１を螺合したナベネジ５が透孔１７に案内された状態で、下方からドライバで透孔１７を介してナベネジ５を回す。
やがて、ナベネジ５の先端部はネジ穴３５のネジ突出口から突出して係合面１５ａに当接する。当接した状態からさらにドライバを回すと、突起３１が下方に移動し、挿入孔１４の支持面１６を押圧し、突起３１（フック３）と掛止部１１（ベース２）とが連結され、房かけ１の組み付け作業は完了する。
【００３０】
次に、上記実施形態の効果を以下に記載する。
（１）本実施形態によれば、掛止部１１に切り欠き部１８を形成し、突起３１に螺合したナベネジ５を透孔１７に案内されるまで、引っ掛かることなく案内するようにした。つまり、ナベネジ５を突起３１に付けたまま、同突起３１を挿入孔１４に挿入できるようにした。
【００３１】
従って、作業者は、突起３１を挿入孔１４に挿入した後に、ナベネジ５をネジ穴３５に挿入する作業がなくなり、直ちに連結固定作業に取り掛かることができる。その結果、ベース２とフック３との組み付け作業が非常に効率よく行える。
（２）本実施形態によれば、突起３１に螺合したナベネジ５を、ネジ穴３５のネジ突出口から突出させて挿入孔１４に形成した係合面１５ａに当接させた状態で、さらにナベネジ５を回す。そして、突起３１を下方に押して同突起３１を支持面１６に圧接させることによって、突起３１（フック３）と掛止部１１（ベース２）とを連結固定させた。
【００３２】
従って、ベース２の掛止部１１の肉厚を薄くでき、掛止部１１の外径を細くでき、房掛け１のデザイン性を高めることができる。その結果、掛止部１１を円錐台形状に形成できデザイン性に優れた房掛け１にすることができる。
【００３３】
（３）本実施形態によれば、挿入孔１４に形成した係合凹部１５の係合面１５ａの幅をナベネジ５の頭部５ａの直径より大きく形成し、その深さを挿入孔１４に内径に接する位置より少し深い位置まで形成した。従って、突起３１に螺合したナベネジ５の先端部が僅かに突出していても突起３１を挿入孔１４に挿入できことから、ナベネジ５を突起３１に螺合させる作業は、余裕をもって行うことができる。
【００３４】
（４）本実施形態によれば、ナベネジ１５が当接する側の挿入孔１４の内側面に、断面矩形状の係合凹部１５を軸線方向に沿って凹設した。従って、ナベネジ１５は、軸線方向のどの位置においても、係合凹部１５の係合面１５ａと当接できることで、ベース２に対するフック３の軸線方向の取り付け位置を自由に変更することができる。
【００３５】
（５）本実施形態によれば、掛止部１１の切り欠き部１８を形成した位置に、透孔１７を貫通形成した。従って、突起３１を螺合したナベネジ５が透孔１７に案内され、その透孔１７によってドライバでナベネジ５を回すとき、透孔１７がドライバをナベネジ５に当てる目安となり作業性がさらに向上する。
【００３６】
上記実施の形態は、以下のように変更してもよい。
・上記実施の形態では、ベース２及びフック３を亜鉛ダイカストで成形した。これを、合成樹脂で成形してもよい。例えば、フック３を合成樹脂で成形することによって、連結固定をスナップフィット等で行うことも可能となる。
【００３７】
・上記実施の形態では、切り欠き部１８の幅を、ナベネジ５の頭部５ａの直径より大きく形成した。これを、ナベネジ５の頭部５ａの直径と小さくネジ部５ｂの直径との範囲で形成してもよい。
【００３８】
この場合、ナベネジ５のネジ部５ｂが切り欠き部１８の間を案内されるように、ナベネジ５の螺合状態を予め調整する必要がある。
そして、例えば、透孔１７を設けないで実施した場合、ネベネジ５を螺合したとき、ナベネジ５の頭部５ａと挿入孔１４に挿入された突起３５とで切り欠き部１８の両側部分の掛止部１１を挟持することができ、これによって、ベース２とフック３は連結固定させることもできる。
【符号の説明】
【００３９】
１０…カーテン用房掛け、２…ベース、３…フック、４…タッピングネジ、５…ナベネジ、５ａ…頭部、５ｂ…ネジ部、１１…掛止部、１１ａ…先端面、１１ｂ…底面、１２…フランジ、１３…環状部、１４挿入孔、１４ａ…内低面、１５…係合凹部、１５ａ…係合面、１６…支持面、１７…透孔、１８…切り欠き部、１９…嵌合凹部、２０…貫通孔、３０…化粧板、３１…突起、３２…意匠用環体、３３…第１位置決め片、３４…第２位置決め片、３５…ネジ穴、３６…位置決め環状体、Ｌ１〜Ｌ４…中心軸線、Ｗ…壁面。
【図１】
0003168543.tif 000003
【図２】
0003168543.tif 000004
【図３】
0003168543.tif 000005
【図４】
0003168543.tif 000006
【図５】
0003168543.tif 000007
【図６】
0003168543.tif 000008
【図７】
0003168543.tif 000009
【図８】
0003168543.tif 000010
【図９】
0003168543.tif 000011
【図１０】
0003168543.tif 000012
【図１１】
0003168543.tif 000013
【図１２】
0003168543.tif 000014